(57)【要約】【課題】筐体を大型化させず、且つ、製造コストの上昇を招くことなく、ターンクローズ状態におけるサブメニュー等の表示及びスクロール操作等を違和感なく実現可能とする。【解決手段】ターンクローズ状態（縦）の場合、制御部３００によりディスプレイ３０の縦（長手）方向に並べて表示されたサブメニューの表示リストの中から、操作キーｂ５（上方向）及び操作キーｂ６（下方向）を用いて所望のリストの選択を行う。ターンクローズ状態（横）の場合、制御部３００によりディスプレイ３０の横（短手）方向に並べて表示されたサブメニューの表示リストの中から、操作キーｂ３（上方向）及び操作キーｂ２（下方向）を用いて所望のリストの選択を行う。【選択図】図１１
2008172730.tif 000002
【特許請求の範囲】
【請求項１】
筐体と、
前記筐体に配置された表示部と、
前記表示部の長手方向に対応して一列に配置された１対の第１操作キーと、
前記表示部の短手方向に対応して一列に配置された１対の第２操作キーと、
前記第１操作キーと前記第２操作キーのキー割り当てを制御する操作制御部と、
前記表示部の表示を前記長手方向を上下方向とする第１表示状態または前記短手方向を上下方向とする第２表示状態に切り換える表示制御部と、
を備え、
前記表示制御部は、前記第１表示状態のときに所定形態の選択項目が前記長手方向に並んで表示されるように制御すると共に、前記第２表示状態のときに前記所定形態と同一形態の選択項目が前記短手方向に並んで表示されるように制御し、
前記操作制御部は、前記第１表示状態のときに前記第１操作キーでの操作により前記選択項目の選択操作が行えるようにキー割り当てを行うと共に、前記第２表示状態のときに前記第２操作キーでの操作により前記選択項目の選択操作が行えるようにキー割り当てを行う
ことを特徴とする携帯端末装置。
【請求項２】
前記筐体は、正面部に主操作部が配設される第１筐体と、
正面部に前記表示部が配設される第２筐体と、
前記第１筐体及び前記第２筐体を、前記主操作部と前記表示部とが同一方向に向けて両筐体を展開させる第１状態から、前記表示部を露出させた状態で前記主操作部を前記第２筐体により被覆する第２状態までを、遷移可能に連結する連結機構部と、
を備えて構成され、
前記第２操作キーは、前記第２状態において露出する前記表示部と同一平面上にある前記連結機構部の表面に、前記表示部に対して短手方向に沿って一列に配置される
ことを特徴とする請求項１に記載の携帯端末装置。
【請求項３】
前記第１操作キーは、前記第２状態において露出される前記第１筐体または前記第２筐体の側面であって、前記表示部の長手方向に対応した該側面に沿って一列に配置される
ことを特徴とする請求項２に記載の携帯端末装置。
【請求項４】
前記表示制御部は、前記第２状態且つ前記第１表示状態のときに所定形態の選択項目が前記長手方向に並んで表示されるように制御すると共に、前記第２状態且つ前記第２表示状態のときに前記所定形態と同一形態の選択項目が前記短手方向に並んで表示されるように制御し、
前記操作制御部は、前記第２状態且つ前記第１表示状態のときに前記第１操作キーでの操作により前記長手方向に並んで表示される前記所定形態と同一形態の選択項目の選択操作が行えるようにキー割り当てを行うと共に、前記第２状態且つ前記第２表示状態のときに前記第２操作キーでの操作により前記短手方向に並んで表示される前記所定形態と同一形態の選択項目の選択操作が行えるようにキー割り当てを行う
ことを特徴とする請求項３に記載の携帯端末装置。
【請求項５】
前記主操作部は、前記第１状態且つ前記第１表示状態において前記表示部の短手方向に対応した左右方向操作キー及び前記第１状態且つ前記第１表示状態において前記表示部の長手方向に対応した上下方向操作キーを備えて構成され、
前記操作制御部は、前記第２状態且つ前記第１表示状態である場合には前記上下方向操作キーの操作機能と前記第１操作キーの操作機能とが同一となるように且つ前記左右方向操作キーの操作機能と前記第２操作キーの操作機能とが同一となるようにキー割り当てを行い、前記第２状態且つ前記第２表示状態である場合には前記上下方向操作キーの操作機能と前記第２操作キーの操作機能とが同一となるように且つ前記左右方向操作キーの操作機能と前記第１操作キーの操作機能とが同一となるようにキー割り当てを行う
ことを特徴とする請求項３または４に記載の携帯端末装置。
【発明の詳細な説明】
【技術分野】
【０００１】
本発明は、ターンクローズ状態においても、サブメニュー（操作ガイド等）の表示及びスクロール等を、通常オープン状態と同様なキー操作感覚にて、違和感無く行うことが可能な携帯端末装置に関する。
【背景技術】
【０００２】
携帯端末装置は、携帯性の向上という観点から、より小型軽量であることが求められている。ところが、操作性を考慮すれば、操作キーの小型化には限界がある。加えて、メイン表示画面の画面サイズについては大型化が求められている。このような相反する要求を両立させるため、近年の携帯端末装置では、表示画面が設けられた表示筐体と、操作キーが設けられた操作筐体とをヒンジによって連結し、表示筐体の表示画面を含む表示パネルと、操作筐体の操作キーを含む操作パネルとを対向させて（通常オープン状態と称する）、折り畳む（通常クローズ状態と称する）ことができるものが主流となっている。
【０００３】
さらに、折り畳み用の第１回転軸だけでなく、第１回転軸に直交する第２回転軸を有する２軸ヒンジを用い、第２回転軸を中心として操作筐体及び表示筐体を相対的に回転可能にした携帯端末装置が提案されている。このような折り畳み式携帯端末装置では、表示パネルを外側に向け、操作パネルを内側に向けて折り畳む（ターンクローズ状態と称する）ことにより、携帯端末装置全体をコンパクトにした状態で、メイン表示画面を閲覧することができる。
【０００４】
しかし、表示パネルを外側に向けて折り畳んだ状態、すなわち、ターンクローズ状態では、操作パネル（主操作部）が内側となるので、当該操作キーのキー操作を行うことができないという問題があった。そこで、従来より、操作筐体や表示筐体上に操作キー（十字キー：上下左右キーとも称する）を設けることにより、表示パネルを外側にして折り畳んだ（ターンクローズ）状態でもキー操作入力を可能とした携帯端末装置が提案されている（例えば、特許文献１参照）。
【０００５】
図１４及び図１５に、従来の携帯端末装置における十字キーの配置を示す。従来文献では、十字キーの２通りの配置が示されている。
【０００６】
図１４は、第１の十字キーの配置を示す図で、図１４（Ａ）は、通常オープン状態における従来の携帯端末装置４００を正面から見た図であり、図１４（Ｂ）は、通常オープン状態における従来の携帯端末装置４００を側面から見た図である。この例では、操作パネル、すなわち、主操作部における十字キー４０２ａが操作パネルの側面（十字キー４０２ｂ）にも配置されているため、横長表示を行うことの多いターンクローズ状態でも、十字キー４０２ｂの操作、すなわち、サブメニュー（文言のリストである操作ガイド等）の表示及び上下スクロール操作等が可能となっている。
【０００７】
図１５は、第２の十字キーの配置を示す図で、図１５（Ａ）は、オープン状態（図では操作パネルが反転した状態）における従来の携帯端末装置２００を正面から見た図であり、図１５（Ｂ）は、ターンクローズ状態における従来の携帯端末装置２００をメイン表示画面２０１側から見た図である。この例では、操作パネルにおける十字キーが、表示パネル、すなわち、メイン表示画面２０１側（十字キー２０２）に配置されることで、横長表示を行うことの多いターンクローズ状態でも、十字キー２０２の操作、すなわち、サブメニューの表示及び上下スクロール操作等が可能となっている。
【特許文献１】特開２００６−２０２７３号公報
【発明の開示】
【発明が解決しようとする課題】
【０００８】
しかしながら、図１４に示した従来技術では、十字キーを携帯端末装置の側面に配置しているため、横長表示を行うことの多いターンクローズ状態にて、サブメニュー（所定形態の選択項目：文言のリストである操作ガイド等）の表示及び上下スクロール等を行おうとした場合、上下のスクロールに左右のスクロールキーを使用しなければならない等のため、キー操作に違和感が出てしまうという問題があった。また、携帯端末装置の容量が大きくなって（例えば、厚くなって）しまったり、携帯端末装置の側面に、主操作部にあるものと同様なキー（十字キー４０２ｂ）を装備する必要があることから、携帯端末装置の大幅な製造コストのアップにつながってしまうなどの問題があった。
【０００９】
また、図１５に示した従来技術では、十字キーのキー構成をそのままディスプレイ（メイン表示画面）側に配置（搭載）しているため、キースペースが多く必要となり、ディスプレイの大画面化を考慮した場合、携帯端末装置（筐体）が大型化してしまうという問題があった。そして、図１４で説明した場合と同様に、横長表示を行うことの多いターンクローズ状態にて、サブメニューの表示及び上下スクロール等を行おうとした場合、キー操作に違和感が出てしまうという問題もあった。さらに、携帯端末装置の表示部（表示パネル）側に、主操作部にあるものと同様なキー（十字キー２０２）を装備する必要があることから、携帯端末装置の大幅な製造コストのアップにつながってしまうなどの問題があった。
【００１０】
本発明は、上記問題に鑑みて成されたものであり、筐体を大型化させず、且つ、製造コストの上昇を招くことなく、ターンクローズ状態におけるサブメニュー等の表示及びスクロール操作等を違和感なく実現可能な携帯端末装置を提供することを目的とする。
【課題を解決するための手段】
【００１１】
本発明に係る携帯端末装置は、上記課題を解決するために、筐体と、前記筐体に配置された表示部と、前記表示部の長手方向に対応して一列に配置された１対の第１操作キーと、前記表示部の短手方向に対応して一列に配置された１対の第２操作キーと、前記第１操作キーと前記第２操作キーのキー割り当てを制御する操作制御部と、前記表示部の表示を前記長手方向を上下方向とする第１表示状態または前記短手方向を上下方向とする第２表示状態に切り換える表示制御部とを備え、前記表示制御部は、前記第１表示状態のときに所定形態の選択項目が前記長手方向に並んで表示されるように制御すると共に、前記第２表示状態のときに前記所定形態と同一形態の選択項目が前記短手方向に並んで表示されるように制御し、前記操作制御部は、前記第１表示状態のときに前記第１操作キーでの操作により前記選択項目の選択操作が行えるようにキー割り当てを行うと共に、前記第２表示状態のときに前記第２操作キーでの操作により前記選択項目の選択操作が行えるようにキー割り当てを行うことを特徴とする。
【００１２】
また、上記携帯端末装置では、前記筐体は、正面部に主操作部が配設される第１筐体と、正面部に前記表示部が配設される第２筐体と、前記第１筐体及び前記第２筐体を、前記主操作部と前記表示部とが同一方向に向けて両筐体を展開させる第１状態から、前記表示部を露出させた状態で前記主操作部を前記第２筐体により被覆する第２状態までを、遷移可能に連結する連結機構部とを備えて構成され、前記第２操作キーは、前記第２状態において露出する前記表示部と同一平面上にある前記連結機構部の表面に、前記表示部に対して短手方向に沿って一列に配置されるものである。
【００１３】
また、上記携帯端末装置では、前記第１操作キーは、前記第２状態において露出される前記第１筐体または前記第２筐体の側面であって、前記表示部の長手方向に対応した該側面に沿って一列に配置されるものである。
【００１４】
また、上記携帯端末装置では、前記表示制御部は、前記第２状態且つ前記第１表示状態のときに所定形態の選択項目が前記長手方向に並んで表示されるように制御すると共に、前記第２状態且つ前記第２表示状態のときに前記所定形態と同一形態の選択項目が前記短手方向に並んで表示されるように制御し、前記操作制御部は、前記第２状態且つ前記第１表示状態のときに前記第１操作キーでの操作により前記長手方向に並んで表示される前記所定形態と同一形態の選択項目の選択操作が行えるようにキー割り当てを行うと共に、前記第２状態且つ前記第２表示状態のときに前記第２操作キーでの操作により前記短手方向に並んで表示される前記所定形態と同一形態の選択項目の選択操作が行えるようにキー割り当てを行うものである。
【００１５】
また、上記携帯端末装置では、前記主操作部は、前記第１状態且つ前記第１表示状態において前記表示部の短手方向に対応した左右方向操作キー及び前記第１状態且つ前記第１表示状態において前記表示部の長手方向に対応した上下方向操作キーを備えて構成され、前記操作制御部は、前記第２状態且つ前記第１表示状態である場合には前記上下方向操作キーの操作機能と前記第１操作キーの操作機能とが同一となるように且つ前記左右方向操作キーの操作機能と前記第２操作キーの操作機能とが同一となるようにキー割り当てを行い、前記第２状態且つ前記第２表示状態である場合には前記上下方向操作キーの操作機能と前記第２操作キーの操作機能とが同一となるように且つ前記左右方向操作キーの操作機能と前記第１操作キーの操作機能とが同一となるようにキー割り当てを行うものである。
【発明の効果】
【００１６】
本発明によれば、違和感のない操作感覚にて、所定形態の選択項目（サブメニュー等）の表示やスクロール操作等を、筐体（携帯端末装置）の肥大化や製造コストの上昇を招くことなく実現することができる。
【発明を実施するための最良の形態】
【００１７】
以下、図面を参照して本発明を実施するための最良の形態を説明する。
【００１８】
図１は、携帯端末装置としての携帯電話機１を開いた状態（開（オープン）状態）における正面図を示す。また、図２（Ａ）は、携帯電話機１を開いた状態における左側面図を示し、図２（Ｂ）は、携帯電話機１を開いた状態における右側面図を示す。また、図３は、携帯電話機１を開いた状態における背面図を示す。
＜概要＞
【００１９】
携帯電話機１は、操作部側筐体（第１筐体）２と、表示部側筐体（第２筐体）３とを備える。操作部側筐体２と表示部側筐体３とは２軸ヒンジ機構により連結され、該携帯電話機１を開（オープン）状態及び閉（クローズ）状態にすると共に、開状態及び閉状態それぞれにおいて操作部側筐体２を回転開（ターンオープン）状態と回転閉（ターンクローズ）状態とに切り替えることができる。
【００２０】
ここで、閉状態とは両筐体が互いに重なるように配置された状態であり、開状態とは両筐体が互いに重ならないように配置された状態をいう。そして、回転開状態とは、後述する表示部側筐体３におけるディスプレイ３０が配置される表面と、操作部側筐体２における操作キー群１１が配置される表面とが同じ側を向くように配置された状態であり、回転閉状態とは、操作部側筐体２における表面と表示部側筐体３における表面とが反対側を向くように配置された状態をいう。
【００２１】
操作部側筐体２は、外表面がフロントパネル２ａとリアパネル２ｂにより構成される。この操作部側筐体部２は、表面であるフロントパネル２ａ側に、操作キー群１１と、携帯電話機１の使用者が通話時に発した音声が入力される音声入力部１２とが露出するように構成される。ここで、操作キー群１１は、各種設定や電話帳機能やメール機能などの各種機能を作動させるための機能設定操作キー１３と、電話番号の数字やメールなどの文字などを入力するためのテンキーなどの入力操作キー１４（１４ａはクリアキー）と、各種操作における決定を行う決定キー１５ａと、上下方向のスクロールや左右方向のスクロール等を行う十字キー（上下方向操作キー、左右方向操作キー）１５ｂと、から構成されている。
【００２２】
また、操作キー群１１を構成する各キーには、操作部側筐体部２と表示部側筐体部３の開閉状態や回転状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２３】
また、操作部側筐体部２における一方の側面には、図２（Ａ）に示すように、外部機器（例えば、ホスト装置）とデータの送受信を行うためのインターフェース１６と、ヘッドホン／マイク端子１７と、着脱可能な外部メモリのインターフェース１８と、不図示のバッテリーを充電するための充電端子１９とが設けられている。なお、インターフェース１６、ヘッドホン／マイク端子１７及びインターフェース１８は、不使用時には着脱可能な防塵対策用のキャップで覆われている。
【００２４】
また、操作部側筐体部２における他方の側面には、図２（Ｂ）に示すように、一対のサイドキー（第１操作キー）２０と、撮像時に使用される操作キー２１と、電波の受信角度を調整可能な放送波受信用のアンテナ２２とを備えている。このサイドキー２０には、操作部側筐体部２と表示部側筐体部３の開閉状態や回転状態等の変形状態や、起動されているアプリケーションの種類に応じて所定の機能が割り当てられる（キー・アサイン）。ここで、上述と同様に、携帯電話機１においてサイドキー２０が使用者により押圧されることで、サイドキー２０に割り当てられている機能に応じた動作が実行される。
【００２５】
また、操作部側筐体部２の裏面であるリアパネル２ｂには、図３に示すように、被写体を撮像するカメラ部２３と、被写体に光を照射するライト部２４とが露出して形成されている。そして、操作部側筐体部２のリアパネル２ｂには、バッテリーが着脱可能に格納されているバッテリー収納部を覆うカバーとしてのバッテリーリッド２５が設けられている。
【００２６】
また、操作部側筐体部２の上端部と表示部側筐体部３の下端部とは、図１から図３に示すように、２軸ヒンジ機構を備える連結部（連結機構部）４により連結されている。連結部４の裏面側には、図３に示すように、副操作キー群３３が該携帯電話機１における幅方向（短手方向）に一列に並んで配置される。この副操作キー群３３を構成する各キーには、操作部側筐体部２と表示部側筐体部３の開閉状態や回転状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２７】
表示部側筐体３は、外表面がフロントパネル３ａとリアパネル３ｂにより構成される。表示部側筐体部３における表面側であるフロントパネル３ａには、各種情報を表示するための所定形状のディスプレイ３０と、通話の相手側の音声を出力する音声出力部３１とが露出するように構成される。
【００２８】
また、表示部側筐体部３の裏面側であるリアパネル３ｂには、各種情報を表示するための所定形状のサブディスプレイ３２が露出して配置されている。
【００２９】
このディスプレイ３０及びサブディスプレイ３２それぞれは、液晶パネルと、この液晶パネルを駆動する駆動回路と、この液晶パネルの背面側から光を照射するバックライト等の光源部とから構成される。
【００３０】
そして、表示部側筐体３は、操作部側筐体２に対して表状態及び裏状態に切り替え可能に連結されている。
＜構造＞
【００３１】
ここで、連結部４の構造と動作について図４から図７により説明する。図４は、携帯電話機１を開いたオープン状態における斜視図を示す。図５は、図４に示すオープン状態から携帯電話機１の表示部側筐体部２と操作部側筐体部３を、連結部４の開閉軸Ａを中心に矢印Ａ２方向に閉回転したときの状態（クローズ状態）の平面図を示す。図６は、図４に示すオープン状態から携帯電話機１の表示部側筐体部２を、連結部４の回動軸Ｂを中心にして矢印Ｂ２方向に１８０°回動したときの状態（ターンオープン状態）の斜視図を示す。図７は、図６に示すターンオープン状態から携帯電話機１の表示部側筐体部２を、連結部４の開閉軸Ａを中心に矢印Ａ２方向に閉回転し、閉じたときの状態（ターンクローズ状態）の斜視図を示す。
【００３２】
連結部４は、操作部側筐体部２と表示部側筐体部３とを、開閉軸Ａを中心にして任意の角度で開閉自在に支持し、且つ回動軸Ｂを中心に任意の角度で回動自在に支持する２軸ヒンジ機構を備える。
【００３３】
また、連結部４は、一方端４ａ側で図示しない連結部材により操作部側筐体部２の上端部と連結されており、他方端４ｂ側で図示しない連結部材により表示部側筐体部３の下端部と連結されている。
【００３４】
連結部４の一方端４ａには、該連結部４における表面から垂直に突出するように形成される凸形状の開閉部４ｃが形成されている。そして、操作部側筐体２の上端部には、この凸形状の開閉部４ｃが挿嵌される凹形状の切り欠き部２ｃが形成されている。
【００３５】
この開閉部４ｃの開閉軸Ａ方向における両側それぞれには、図示しない孔部Ａが形成される。また、操作部側筐体２の切り欠き部２ｃにおける両内側面には、図示しない孔部Ｂが形成される。そして、凸形状の開閉部４ｃが、凹形状の切り欠き部２ｃに挿嵌された状態において、孔部Ａと孔部Ｂとは互いに近接して対向するように配置されると共に、孔部Ａと孔部Ｂとの双方に円筒状の開閉連結部材が挿通される。これにより、操作部側筐体２と連結部４とは、開閉可能に連結される。なお、開閉部４ｃは、操作部側筐体部２の上端部に挿嵌される形状であれば良く、特に凸形状に限られず、また、操作部側筐体部２の上端部の形状も凹形状に限られない。
【００３６】
また、連結部４の他方端側４ｂと表示側筐体部３の下端部とは、回動連結部材により回動自在に軸着されている。連結部４における表示部側筐体部３側の側面には図示しない孔部Ｃが形成される。また、表示部側筐体３における連結部４側の側面には、孔部Ｄが形成される。そして、孔部Ｃと孔部Ｄとの双方に回動連結部材が挿通されることで、操作部側筐体２と連結部４とが回動軸Ｂを中心に回動可能に連結される。
＜動作の説明＞
【００３７】
携帯電話機１は、上述したように、操作部側筐体部２と表示部側筐体部３とが連結部４により連結されているので、開閉軸Ａを中心にして、相対的に開閉動作させたり、回動軸Ｂを中心にして回動動作をさせたりすることにより様々な状態に変形することができる。
【００３８】
例えば、開閉軸Ａを中心にして、矢印Ａ１方向に相対的に開動作をさせることにより、操作部側筐体部２と表示部側筐体部３とを互いに開いた状態（通常オープン状態（第1状態））にすることができる。
【００３９】
また、開閉軸Ａを中心にして、矢印Ａ２方向に相対的に閉動作をさせることにより、操作部側筐体部２と表示部側筐体部３とを折り畳んだ状態（通常クローズ状態）にすることができる（図５を参照）。
【００４０】
また、オープン状態において、回動軸Ｂを中心に表示部側筐体部３を矢印Ｂ２方向に１８０°回動させ（図６を参照）、開閉軸Ａを中心にして表示部側筐体部３を矢印Ａ２方向に閉動作させてクローズ状態にすることにより、表示部側筐体部３のフロントパネル３ａが外側に露出したまま折畳んだ状態（ターンクローズ状態）にすることができる（図７を参照）。
【００４１】
なお、本実施形態においては、連結部４による折り畳み式の携帯電話機１の説明をしているが、折り畳み式ではなく、両筐体２、３を重ね合わせた状態から一方の筐体を一方向にスライドさせるようにしたスライド式や、重ね合せ方向に沿う軸線を中心に一方の筐体を回転させるようにした回転（リボルバ）式や、操作部側筐体部２と表示部側筐体部３とが一つの筐体に配置され、連結部を有さない形式（ストレートタイプ）でも良い。
【００４２】
操作部側筐体部２は、フロントケース２ａと、上述した操作キー群１１を構成するキーシートと、キースイッチ用のフレキシブルプリント配線基板と、シールドケースと、基準電位パターン層及び携帯電話機用のＲＦ（Ｒａｄｉｏ  Ｆｒｅｑｕｅｎｃｙ）モジュール等の各種電子部品を備える回路基板と、アンテナ部と、リアケースと、バッテリーと、バッテリーリッド２５と、を備える。また、バッテリーは、リアケース２ｂの外側から装脱可能に収納される。
【００４３】
また、フロントケース２ａとリアケース２ｂとは、互いの凹状の内側面が向き合うように配置され、互いの外周縁が重なり合うようにして結合される。また、フロントケース２ａとリアケース２ｂとの間には、キーシートと、フレキシブルプリント配線基板と、シールドケースと、回路基板と、アンテナ部と、がこの順番で構成されている。つまり、フレキシブルプリント配線基板を覆うようにしてシールドケースが積層配置され、また、フレキシブルプリント配線基板の上面にキーシートが積層配置される。
【００４４】
フロントケース２ａには、携帯電話機１を折り畳んだ状態で表示部側筐体部３のディスプレイ３０と対向する内側面に、キー孔が複数形成される。複数のキー孔それぞれからは、機能設定操作キー１３、入力操作キー１４及び決定操作キー１５の押圧面が露出する。この露出した操作キー群１１を構成する機能設定操作キー１３、入力操作キー１４及び決定操作キー１５の押圧面を押し下げるように押圧することで、対応するキースイッチのそれぞれにおけるメタルドーム（椀状形状）の頂点が押圧され、スイッチ端子に接触して電気的に導通する。
＜本発明の要部の説明＞
【００４５】
次に、本発明の要点について詳細に説明を行う。
【００４６】
図８は、本発明の携帯端末装置の使用形態を示す図である。図８に示すように、本発明の携帯端末装置の使用形態は、携帯端末装置にて起動されているアプリケーションの種類に応じて、例えば、３種類の使用形態に分類することができる。そして、この使用形態に応じて、最適な操作キーの割り当て（キー・アサイン）、サブメニュー（所定形態の選択項目）等の表示及びスクロール操作等が行われる（後述）。以下、この３形態について説明する。
【００４７】
図８（Ａ）は、一般にオープン状態（第１状態）と呼ばれるフォルダ開状態（縦方向での使用）を示していて、これは、電話機能やメール機能等を使用する場合における最適な使用形態である。この形態でのキー操作は、操作部側筐体部（第１筐体）２に設けられた決定キー１５ａ（操作キーａ３）、十字キー１５ｂ（操作キーａ１，ａ２，ａ４，ａ５）及びクリアキー１４ａ（操作キーａ６）を含んだ、操作キー群（主操作部）１１により行われる。キー操作の結果は、表示部側筐体部（第２筐体）３に設けられたディスプレイ（表示部とも称する）３０に反映される。尚、操作部側筐体部２と表示部側筐体部３とは、連結部（連結機構部）４により結合されている。また、操作キーａ１及びａ５を上下方向操作キー、操作キーａ２及びａ４を左右方向操作キーとも称する。
【００４８】
図８（Ｂ）は、第２状態であるターンクローズ状態（縦方向での使用すなわち第１表示状態）を示していて、例えば、写真機能やゲーム機能等を使用する場合における使用形態である。この形態でのキー操作は、第２操作キーである副操作キー群３３及び第１操作キーであるサイドキー２０からなる副操作部３０７にて行われる。キー操作の結果は、表示部３０に反映される。
【００４９】
図８（Ｃ）は、第２状態であるターンクローズ状態（横方向での使用すなわち第２表示状態）を示していて、例えば、写真機能やテレビ機能等を使用する場合における最適な使用形態である。この形態でのキー操作は、副操作キー群（第２操作キー）３３及びサイドキー（第１操作キー）２０からなる副操作部３０７にて行われる。キー操作の結果は、表示部３０に反映される。
【００５０】
図９は、上述の携帯端末装置１の各使用形態に応じ、直感的なキー操作が可能となり、メニュー選択が行えるように、最適な操作キーの割り当て（キー・アサイン）を行うために必要なキー割り当て動作を行うための、携帯端末装置１の機能ブロック図を示したものである。
【００５１】
図９に示すように、携帯端末装置１のキー割り当て等に必要な機能ブロック図は、制御部３００、ＲＯＭ３０１、ＲＡＭ３０２、ディスプレイ３０、サブディスプレイ３２、無線通信部３０３、使用形態検出部３０４、表示方向検出部３０５、主操作部１１、副操作部３０７、表示制御部３０８、音声入出力部３０９により構成される。
【００５２】
制御部３００は、ＲＯＭ３０１及びＲＡＭ３０２と連携して、携帯端末装置１全体を制御する。ＲＯＭ３０１には、携帯端末装置１の制御プログラム、各種アプリケーションプログラム、キー割り当てテーブル及び各種サブメニュー等が予め記憶されている。そして、制御部３００は、ＲＯＭ３０１に記憶された制御プログラムに基づいて各機能ブロックの制御を行う。また、ＲＯＭ３０１に記録されている各種アプリケーションプログラムの起動／停止及び制御等を行う。また、制御部３００は、第１操作キー及び第２操作キーのキー割り当てを制御する操作制御部としての機能を有する（後述）。
【００５３】
無線通信部３０３及び音声入出力部３０９は、携帯電話装置としての機能を実現するための機能ブロックである。ディスプレイ３０及びサブディスプレイ３２は、各種アプリケーションによって様々な表示が行われる。
【００５４】
使用形態検出部３０４は、携帯端末装置１が、前述の３形態（２状態（オープン／クローズ）のうちの何れの形態（状態）であるかは、例えば、携帯端末装置１の各所に設けられた磁気センサ等により検出し、ターンクローズの縦横表示は、アプリケーションの種類により検出される）のうちの何れの形態であるかを検出するものである。形態が変化すると、その検出結果を制御部３００に通知する。これにより、制御部３００は、該検出結果を、ＲＡＭ３０２に、「現在の携帯端末装置の使用形態」として記憶する。尚、アプリケーションプログラムからの前述の状態（ターンクローズの縦横表示状態）の検出は、例えば、制御部３００から使用形態検出部３０４への制御データ情報に含まれるアプリケーションプログラム稼動状況に基づいて行う。以降も同様とする。
【００５５】
表示方向検出部３０５は、現在稼動しているアプリケーションプログラムから、ディスプレイ３０が、縦方向（長手方向に選択項目であるサブメニューを表示）に表示すべきか、または、横方向（短手方向に選択項目であるサブメニューを表示）に表示すべきかを検出し、その検出結果を制御部３００に通知する。これにより、制御部３００は、該検出結果を、ＲＡＭ３０２に、「現在の携帯端末装置の表示方向」として記憶する。
【００５６】
主操作部１１及び副操作部３０７は、それぞれの操作キーの押圧動作がなされると、その情報を制御部３００に通知する。
【００５７】
表示制御部３０８は、例えばワンチップコンピュータからなり、アプリケーションプログラム毎に決まった表示方向、すなわち、制御部３００が、ＲＡＭ３０２から読み出し、制御データの一部として送られてきた、「現在の携帯端末装置の表示方向」に基づいて、ディスプレイ３０に表示される画像（サブメニューのリスト等）を、縦方向または横方向にて表示する。
【００５８】
音声入出力部３０９は、稼動しているアプリケーションプログラムに従って、必要とされる音声を出力する。
【００５９】
次に、図１０乃至図１３を参照して、前述の携帯端末装置１の各使用形態（３形態）に応じ、ユーザにとって、直感的なキー操作が可能となるような、最適な操作キーの割り当て（キー・アサイン）及び最適なサブメニューのリスト表示やスクロールを実現するための手順（方法）について説明を行う。尚、図１０は、キー割り当て及びサブメニューのリスト表示及び選択を行うための手順を示したフローチャートであり、図１１は、具体的なキー割り当てテーブルを示したものであり、図１２は、縦表示でのカメラプレビュー及びカメラメニューの表示状態の一例を示したものであり、図１３は、横表示でのカメラプレビュー及びカメラメニューの表示状態の一例を示したものである。
【００６０】
先ず、制御部３００は、ステップＳ２０にて、現在の携帯端末装置の使用形態を検出する。具体的には、制御部３００がＲＡＭ３０２の「現在の携帯端末装置の使用形態」を参照し、現在の携帯端末装置の使用形態を判定する。ステップＳ２０で、フォルダ開状態であると判定された場合、制御部３００は、処理をステップＳ２１に移す。
【００６１】
ステップＳ２１にて、制御部３００は、操作キーａ１〜ａ６のキー割り当てを、ＲＯＭ３０１に記憶されたキー割り当てテーブルの「フォルダ開状態（縦）」の操作キーａ１〜ａ６各々に割り当てられたキー操作機能とし、処理をステップＳ２２に移す。尚、このキー割り当ては、携帯端末装置１の基準となる状態（通常キー・アサイン）であって、このキー割り当ては、当該携帯端末装置１固有のものである。そして、この操作キーａ１〜ａ６の各々が有するキー操作機能が、以降の操作キーｂ１〜ｂ６各々に割り当てられることになる。
【００６２】
ステップＳ２２にて、制御部３００（表示制御部３０８）は、サブメニューの表示が行われるとサブメニューの表示リストを、ディスプレイ３０の縦（長手）方向に並べて表示し、処理をステップＳ２３に移す。
【００６３】
ステップＳ２３では、ディスプレイ３０に表示されたサブメニューの表示リストの中から、操作キーａ１（上方向）及び操作キーａ５（下方向）を用いて所望のリストの選択を行い、処理をステップＳ２４に移す。
【００６４】
ステップＳ２４では、選択された内容を、決定キーａ３を押圧動作することで決定する。
【００６５】
一方、ステップＳ２０にて、現在の携帯端末装置の使用形態がターンクローズ状態であると判定された場合には、制御部３００は、処理をステップＳ２５に移す。
【００６６】
ステップＳ２５にて、制御部３００は、現在のアプリケーションプログラムのディスプレイ３０への画像の表示方向（横長表示か縦長表示か）を検出する。具体的には、制御部３００がＲＡＭ３０２の「現在の携帯端末装置の表示方向」を参照し、現在の携帯端末装置の表示方向を判定する。ステップＳ２５で、縦長表示であると判定された場合、制御部３００は、処理をステップＳ２６に移す。
【００６７】
ステップＳ２６にて、制御部３００は、操作キーｂ１〜ｂ６のキー割り当てを、ＲＯＭ３０１に記憶されたキー割り当てテーブルの「ターンクローズ状態（縦）」の操作キーｂ１〜ｂ６各々に割り当てられたキー操作機能とする。詳しくは、操作キーｂ１の操作機能として操作キーａ６の機能（取り消し（クリア）または戻る）が割り当てられ、操作キーｂ２の操作機能として操作キーａ２の機能（左へ移動）が割り当てられ、操作キーｂ３の操作機能として操作キーａ４の機能（右へ移動）が割り当てられ、操作キーｂ４の操作機能として操作キーａ３の機能（選択または決定）が割り当てられ、操作キーｂ５の操作機能として操作キーａ１の機能（上へ移動）が割り当てられ、操作キーｂ６の操作機能として操作キーａ５の機能（下へ移動）がそれぞれ割り当てられる。
【００６８】
ところで、今、携帯端末装置のアプリケーションプログラムとして、カメラ（縦長表示）が選択されているとすると、ディスプレイ３０には、図１２（Ａ）に示すように、カメラプレビュー表示状態の画像が表示される。この場合、キー割り当ては完了しているので、例えば、操作キーｂ５（上方向）及び操作キーｂ６（下方向）は、カメラのズーム調整キーとして機能し、操作キーｂ２（左方向）及び操作キーｂ３（右方向）は、カメラの輝度調整キーとして機能する。その後、図１２（Ａ）下方の「メニュー」アイコンに対応する操作キー（例えば、操作キーｂ１または操作キーｂ４等）が押圧動作されることにより、制御部３００は、処理をステップＳ２７に移す。
【００６９】
ステップＳ２７において、制御部３００は、サブメニューの表示指示が行われると、サブメニューの表示リスト（選択項目３２５）を、ディスプレイ３０の縦（長手）方向に並べて表示し（図１２（Ｂ）参照）、処理をステップＳ２８に移す。
【００７０】
ステップＳ２８では、ディスプレイ３０に表示されたサブメニューの表示リストの中から、操作キーｂ５（上方向）及び操作キーｂ６（下方向）を用いてカーソル（ハイライトバー等）を移動させ、所望のリストの選択を行い、処理をステップＳ２９に移す。
【００７１】
ステップＳ２９では、選択された内容を、決定キーｂ４を押圧動作することで決定する。
【００７２】
一方、ステップＳ２５にて、現在のアプリケーションプログラムによる表示方向が、横長表示であると判定された場合には、制御部３００は、処理をステップＳ３０に移す。
【００７３】
ステップＳ３０にて、制御部３００は、操作キーｂ１〜ｂ６のキー割り当てを、ＲＯＭ３０１に記憶されたキー割り当てテーブルの「ターンクローズ状態（横）」の操作キーｂ１〜ｂ６各々に割り当てられたキー操作機能とする。詳しくは、操作キーｂ１の操作機能として操作キーａ６の機能（取り消し（クリア）または戻る）が割り当てられ、操作キーｂ２の操作機能として操作キーａ５の機能（下へ移動）が割り当てられ、操作キーｂ３の操作機能として操作キーａ１の機能（上へ移動）が割り当てられ、操作キーｂ４の操作機能として操作キーａ３の機能（選択または決定）が割り当てられ、操作キーｂ５の操作機能として操作キーａ２の機能（左へ移動）が割り当てられ、操作キーｂ６の操作機能として操作キーａ４の機能（右へ移動）がそれぞれ割り当てられる。
【００７４】
ところで、今、携帯端末装置のアプリケーションプログラムとして、カメラ（横長表示）が選択されているとすると、ディスプレイ３０には、図１３（Ａ）に示すように、カメラプレビュー表示状態の画像が表示される。この場合、キー割り当ては完了しているので、例えば、操作キーｂ３（上方向）及び操作キーｂ２（下方向）は、カメラのズーム調整キーとして機能し、操作キーｂ５（左方向）及び操作キーｂ６（右方向）は、カメラの輝度調整キーとして機能する。その後、図１３（Ａ）右方の「メニュー」アイコンに対応する操作キー（例えば、操作キーｂ１または操作キーｂ４等）が押圧動作されることにより、制御部３００は、処理をステップＳ３１に移す。
【００７５】
ステップＳ３１において、制御部３００は、サブメニューの表示指示が行われると、サブメニューの表示リスト（選択項目３２５）を、ディスプレイ３０の横（短手）方向に並べて表示し（図１３（Ｂ）参照）、処理をステップＳ３２に移す。
【００７６】
ステップＳ３２では、ディスプレイ３０に表示されたサブメニューの表示リストの中から、操作キーｂ３（上方向）及び操作キーｂ２（下方向）を用いてカーソル（ハイライトバー等）を移動させ、所望のリストの選択を行い、処理をステップＳ３３に移す。
【００７７】
ステップＳ３３では、選択された内容を、決定キーｂ４を押圧動作することで決定する。
【００７８】
以上のように構成された携帯端末装置１によれば、以下の効果がある。
【００７９】
フォルダ開状態における十字キー１５ｂの有する操作性を、ターンクローズ状態における副操作部３０７にも持たせることができ、副操作部３０７を、十字キー１５ｂと同様に、違和感無く使用することができる。
【００８０】
また、従来例のように、フォルダ閉状態やターンクローズ状態において、露出する部位に十字キーを設ける場合と比べ、副操作部３０７が占有するスペースを小さくすることができ、筐体のコンパクト化または画面（表示部）の大型化が図れる。
【００８１】
さらに、横長表示の場合、通常表示状態（オープン状態：縦長方向）で表示していたサブメニューの表示リストを、そのまま（アイコン表示等にしないで）使えるため、見やすく、且つソフトウェアの変更量を少なくすることができる。
【００８２】
また、携帯端末装置のレイアウト（縦／横）に従って、視覚的に認識のしやすいキー割り当てを実現できるため、サブメニューの表示リストの選択操作を、違和感を持つこと無く行うことができる。
【００８３】
また、アプリケーションプログラムとして、カメラ（ターンクローズ横長表示）を選択した場合等、操作キーｂ３（上方向）及び操作キーｂ２（下方向）を上下の設定値（例えばズーム）の変更用に、さらに、操作キーｂ５（左方向）及び操作キーｂ６（右方向）を左右の設定値（例えば輝度）の変更用に利用することができるため、操作性の向上が期待できる。
【００８４】
以上、実施例について説明したが、本発明はこれに限られるものではない。
【００８５】
例えば、以上の説明において、第２表示状態（横長表示）であるか否かの判定は、起動されるアプリケーションの種類によって決まるとして説明したが、これに限定されることは無く、例えば、携帯端末装置１内に設けられたモーションセンサによって判定するようにしても良い。
【００８６】
また、本発明のキー割り当て機能及びサブメニュー表示リストの選択機能は、携帯端末装置のみならず、他の機器（装置にも）適用することが可能である。例えば、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等のアンテナを備えた他の携帯無線機などである。
【図面の簡単な説明】
【００８７】
【図１】本発明に係る携帯端末装置の開いた状態における正面図である。
【図２】本発明に係る携帯端末装置の開いた状態における側面図である。
【図３】本発明に係る携帯端末装置の開いた状態における背面図である。
【図４】本発明に係る携帯端末装置の開いた状態における斜視図である。操作部側筐体部に内蔵される部材の分解斜視図である。
【図５】本発明に係る携帯端末装置の表示部側筐体部と操作部側筐体部を、閉じた状態（クローズ状態）における平面図である。
【図６】本発明に係る携帯端末装置に示す表示部側筐体部を、連結部の回動軸を中心にして１８０°回動した状態（ターン状態）における斜視図である。
【図７】図６に示す表示部側筐体部を、連結部の開閉軸を中心に閉回転し、閉じた状態（ターンクローズ状態）における斜視図である。
【図８】本発明に係る携帯端末装置の使用形態を示す図である。
【図９】本発明に係る携帯端末装置の機能ブロック図である。
【図１０】本発明に係る携帯端末装置のキー割り当て判定フローチャートである。
【図１１】本発明に係る携帯端末装置のキー割り当てテーブルを示した図である。
【図１２】縦表示でのカメラプレビュー及びカメラメニューの表示状態の一例を示した図である。
【図１３】横表示でのカメラプレビュー及びカメラメニューの表示状態の一例を示した図である。
【図１４】従来の携帯端末装置における十字キーの配置を示す図である。
【図１５】従来の携帯端末装置における十字キーの配置を示す図である。
【符号の説明】
【００８８】
１  携帯電話装置（携帯端末装置）、２  操作部側筐体部、２ａ、３ａ  フロントパネル、２ｂ、３ｂ  リアパネル、３  表示部側筐体部、４  連結部、１１  操作キー群、１２  音声入力部、１３  機能設定操作キー、１４  入力操作キー、１４ａ  クリアキー、１５ａ  決定キー、１５ｂ  十字キー、１６  インターフェース、１７  ヘッドホン／マイク端子、１８  インターフェース、１９  充電端子、２０  サイドキー、２１  操作キー、２２  アンテナ、２３  カメラ部、２４  ライト部、２５  バッテリーリッド、３０  ディスプレイ、３１  音声出力部、３２  サブディプレイ、３３  副操作キー群、３００  制御部、３０１  ＲＯＭ、３０２  ＲＡＭ、３０３  無線通信部、３０４  使用形態検出部、３０５  表示方向検出部、３０６  主操作部、３０７  副操作部、３０８  表示制御部、３０９  音声入出力部、３２５  選択項目、ａ１〜ａ６，ｂ１〜ｂ６  操作キー
【図１】
2008172730.tif 000003
【図２】
2008172730.tif 000004
【図３】
2008172730.tif 000005
【図４】
2008172730.tif 000006
【図５】
2008172730.tif 000007
【図６】
2008172730.tif 000008
【図７】
2008172730.tif 000009
【図８】
2008172730.tif 000010
【図９】
2008172730.tif 000011
【図１０】
2008172730.tif 000012
【図１１】
2008172730.tif 000013
【図１２】
2008172730.tif 000014
【図１３】
2008172730.tif 000015
【図１４】
2008172730.tif 000016
【図１５】
2008172730.tif 000017